(57)【特許請求の範囲】
【請求項１】
複数の基材層が積層されてなり、第１の主面および該第１の主面と対向する主面である第２の主面を有する積層体と、
積層体の積層方向に直交する一の方向を巻回軸方向として前記積層体に設けられたコイル導体と、
前記積層体の前記積層方向に平行な面に設けられ、前記コイル導体が接続されている端子導体と、
を備え、
前記コイル導体は、
前記基材層の面に沿って設けられた複数の第１導体と、
前記基材層の面に沿って設けられた複数の第２導体と、
前記積層体の積層方向に沿って平行な二側面の一方に設けられた複数の第３導体、および前記二側面の他方に設けられた複数の第４導体と、
を有し、前記第１導体、前記第２導体、前記第３導体および前記第４導体が螺旋状に接続されてなり、
前記端子導体は、前記積層体の同一面に複数設けられ、
前記コイル導体は、前記端子導体の一つに接続されている、
表面実装型アンテナ。
【請求項２】
前記第３導体および前記第４導体はそれぞれ、前記積層体の各層に形成された層間接続導体が接続されてなる、請求項１に記載の表面実装型アンテナ。
【請求項３】
前記積層体は磁性体層を有する、請求項１または２に記載の表面実装型アンテナ。
【請求項４】
前記積層体は、前記複数の磁性体層を挟むように設けられた非磁性体層を有し、
前記コイル導体は、前記非磁性体層と前記磁性体層の間に形成されている、
請求項３に記載の表面実装型アンテナ。
【請求項５】
前記第１導体は、前記積層体の第１の主面に設けられ、
前記第２導体は、前記積層体の第２の主面に設けられる、
請求項１から３の何れかに記載の表面実装型アンテナ。
【請求項６】
前記コイル導体は、前記第１導体、前記第２導体、前記第３導体および前記第４導体で囲まれる領域を通り前記端子導体に接続されている、
請求項１から５の何れかに記載の表面実装型アンテナ。
【請求項７】
前記端子導体は、
前記積層体の前記二側面に隣接し、前記積層方向に平行な面に設けられている、
請求項１から６の何れかに記載の表面実装型アンテナ。
【請求項８】
前記端子導体が形成された前記積層体の面にダミー端子導体が形成されている、請求項１から７の何れかに記載の表面実装型アンテナ。
【発明の詳細な説明】
【技術分野】
【０００１】
本発明は、例えば、ＮＦＣ（Near Field Communication）システムなどに用いられる表面実装型アンテナに関する。
【背景技術】
【０００２】
携帯端末の回路基板などに実装し、実装面とに垂直な方向に放射方向を持つコイルアンテナとして、各層の表面にコイルパターンを備えた誘電体層を積層し、各コイルパターンを層間接続導体で接続する構成が知られている。この構成を、ＮＦＣシステムのように、例えば、１３．５６ＭＨｚ程度の周波数帯で使用する小型のコイルアンテナに用いる場合において、コイルパターンが誘電体層の内部に形成されていることからコイル径を大きくできないため、大きなインダクタンス値を得ることは難しい。一方、大きなインダクタンス値を得るために、基材を誘電体層に代わり磁性体層で構成することはできるが、コイル中心を通る磁束の一部がコイル外部の磁性体部分に閉じ込められ、アンテナ特性が劣化する。
【０００３】
特許文献１には、高利得が得られる無指向性のチップアンテナが開示されている。特許文献１に記載のアンテナは、巻回軸に直交する断面の形状が長方形となるように、誘電体材料または磁性体材料からなる基体内部にコイル導体パターンを形成している。これにより、断面形状を円形または楕円形とした場合よりも、コイル導体の線路長を長くすることができ、電流分布の領域を増やすことができる。これにより、放射効率を高め、アンテナの利得をさらに向上させている。
【先行技術文献】
【特許文献】
【０００４】
【特許文献１】特開平９−３６６３９号公報
【発明の概要】
【発明が解決しようとする課題】
【０００５】
特許文献１記載のチップアンテナにおいては、コイル導体パターンが基体内部に形成されていることから、コイル径を大きくすることが難しい。特に、基体が磁性体材料からなる場合にはコイル中心を通る磁束の一部がコイル外部の磁性体部分に閉じ込められ、アンテナ特性が劣化する。
【０００６】
そこで、本発明の目的は、利得が高い表面実装型アンテナを提供することにある。
【課題を解決するための手段】
【０００７】
本発明に係る表面実装型アンテナは、複数の基材層が積層されてなり、第１の主面および該第１の主面と対向する主面である第２の主面を有する積層体と、積層体の積層方向に直交する一の方向を巻回軸方向として前記積層体に設けられたコイル導体と、前記積層体の前記積層方向に平行な面に設けられ、前記コイル導体が接続されている端子導体と、を備え、前記コイル導体は、前記基材層の面に沿って設けられた複数の第１導体と、前記基材層の面に沿って設けられた複数の第２導体と、前記積層体の積層方向に沿って平行な二側面の一方に設けられた複数の第３導体、および前記二側面の他方に設けられた複数の第４導体と、を有し、前記第１導体、前記第２導体、前記第３導体および前記第４導体が螺旋状に接続されてなることを特徴とする。
【０００８】
この構成では、積層体の二側面に形成した第３導体および第４導体を含むコイル導体を形成することで、積層体のサイズに対してコイル径を大きくすることができる。また、第３および第４導体は積層体の側面に露出しているので、積層体が磁性体を含む場合であってもコイル中心を通る磁束の一部が閉じ込められず、したがって、アンテナ特性が劣化することがない。この結果、表面実装型アンテナのアンテナ特性（利得）を向上させることができる。
【０００９】
前記第３導体および前記第４導体はそれぞれ、前記積層体の各層に形成された層間接続導体が接続されて構成されていることが好ましい。
【００１０】
この構成では、各層にビア導体やスルーホール導体などの層間接続導体を形成して、それら同士を接続して第３導体および第４導体としているため、積層体の積層方向に沿った導体を容易に形成することができる。
【００１１】
前記積層体は磁性体層を有する構成でも良い。
【００１２】
この構成では、磁性体で構成した場合、大きいインダクタンス値を得ることができ、アンテナの放射効率を向上させることができる。
【００１３】
前記積層体は、前記複数の磁性体層を挟むように設けられた非磁性体層を有し、前記コイル導体は、前記非磁性体層と前記磁性体層の間に形成されている、構成が好ましい。
【００１４】
この構成では、コイル導体よりも外層に位置する基材層が非磁性体であるため、磁束が磁性体によって積層体に閉じ込められることによるアンテナ特性の低下を防止できる。また、一般に非磁性体は磁性体よりtanδ（誘電正接）が小さいので、コイル導体のＱ値を向上させることができる。
【００１５】
前記第１導体は、前記積層体の第１の主面に設けられ、前記第２導体は、前記積層体の第２の主面に設けられる構成が好ましい。
【００１６】
この構成では、第１導体と第２導体をともに積層体の第１の主面、第２の主面に設けることで、積層体のサイズに対してコイル径をさらに大きくすることができる。また、第３導体および第４導体に加え、第１導体および第２導体も積層体の外面に露出しているので、積層体が磁性体を含む場合であってもコイル中心を通る磁束の一部が閉じ込められず、したがって、アンテナ特性が劣化することがない。この結果、表面実装型アンテナのアンテナ特性（利得）を向上させることができる。
【００１７】
前記端子導体は、前記積層体の同一面に複数設けられ、前記コイル導体は、前記端子導体の一つに接続されている構成でもよい。
【００１８】
この構成では、端子導体が形成された面を表面実装型アンテナの実装面とすることができる。
【００１９】
前記コイル導体は、前記第１導体、前記第２導体、前記第３導体および前記第４導体で囲まれる領域を通り前記端子導体に接続されている構成でもよい。
【００２０】
この構成では、第１導体、第２導体、第３導体および第４導体で囲まれる領域（コイル開口部）を通って端子導体に接続しているため、コイル導体と端子導体とを接続する線路の引き回しを短くでき、直流抵抗を抑制して、Ｑ値の低下を防止できる。また、引き回し線路をコイル開口部に通すことで、コイル径の大きさを確保する弊害とならないため、アンテナ特性の低下を抑制できる。
【００２１】
前記端子導体は、前記積層体の前記二側面に隣接し、前記積層方向に平行な面に設けられている構成が好ましい。
【００２２】
この構成では、積層体の積層方向に沿った二側面に導体を形成する必要があるが、層間接続導体を形成すれば、層間接続導体を端子導体として用いることができる。従って、特別な製造工程を必要としない。
【００２３】
前記端子導体が形成された前記積層体の面に形成されたダミー端子導体を備える構成でもよい。
【００２４】
この構成では、ダミー端子導体を配置することにより、実装基板に対して端子導体に加えるダミー端子導体を介しても接続することが可能となる。これにより、実装基板に対する実装性が高まり、接続信頼性を向上させることができる。
【発明の効果】
【００２５】
本発明によれば、コイル導体の径をより大きくすることで、アンテナ特性を向上させることができる。また、層間接続導体を形成し、それら同士を接続して、積層体の積層方向に沿った導体とすることで、二側面に第３導体および第４導体を形成するための特別な製造工程を必要とせず、容易に表面実装型アンテナを製造することができる。
【図面の簡単な説明】
【００２６】
【図１】プリント基板に実装する前の実施形態１に係る表面実装型アンテナの斜視図。
【図２】プリント基板への実装後の表面実装型アンテナの斜視図。
【図３】実施形態１に係る表面実装型アンテナの分解斜視図。
【図４】積層体に形成されたコイル導体の模式図。
【図５】プリント基板に実装する前の実施形態２に係る表面実装型アンテナの斜視図。
【図６】実施形態２に係る表面実装型アンテナの分解斜視図。
【図７】実施形態３に係る表面実装型アンテナの分解斜視図。
【図８】コイル導体の巻線間に構成される浮遊容量を模式的に示す図。
【図９】比較対照とするコイル導体の巻線間に構成される浮遊容量を模式的に示す図。
【図１０】（Ａ）は、表面実装型アンテナを備えた通信端末装置の正面断面図、（Ｂ）は通信端末装置の上面透視図。
【図１１】グランドパターンをブースターアンテナとした場合を説明する図。
【発明を実施するための形態】
【００２７】
（実施形態１）
以下に説明する実施形態１に係る表面実装型アンテナは、例えば、ＨＦ帯の高周波信号をキャリア周波数とし、ＮＦＣシステムに用いられるリーダライタ用のアンテナである。実施形態１に係る表面実装型アンテナはプリント基板に実装される。
【００２８】
図１はプリント基板に実装する前の実施形態１に係る表面実装型アンテナの斜視図である。図２はプリント基板への実装後の表面実装型アンテナの斜視図である。図３は実施形態１に係る表面実装型アンテナ１の分解斜視図である。
【００２９】
表面実装型アンテナ１は、複数の磁性体層が積層された積層体２を備えている。積層体２は、例えば、磁性体グリーンシートに後述するビア導体や導体パターンなどを形成したものを複数積み重ねてマザー基板を作成したのち、所定のワークサイズ（表面実装型アンテナ１となるサイズ）にカットし、その後、焼成することにより生成される。本実施形態では、積層体２は、積層方向に沿って、第１層２１、第２層２２、第３層２３、第４層２４、第５層２５、第６層２６、第７層２７、第８層２８および第９層２９の計９層の磁性体層を有している。以下では、第１層２１側を積層方向における上側とする。なお、マザー基板の状態で焼成を行い、その後カットすることにより積層体２を得てもよい。
【００３０】
なお、積層体２の各層２１〜２９は、全てが同じ透磁率を有する磁性体でなくてもよく、各層によって透磁率が異なっていてもよい。また、積層体２の各層２１〜２９の一部は誘電体層であってもよい。
【００３１】
また、製造工程において、各層２１〜２９となる磁性体グリーンシートが重ね合わされる際、各層２１〜２８の磁性体グリーンシートは表面（後述のＡｇパターンが印刷される面）が同方向に重ね合わされ、第９層２９の磁性体グリーンシートは、図３に示すように、表裏反対とされて積層体２８の磁性体グリーンシートに重ね合わされる。従って、積層体２は第１層２１の表面となり、積層体２の底面は第９層２９の表面となる。
【００３２】
対向する積層体２の二側面の一方には、積層方向に沿って側面導体（第３導体）３１Ａ，３２Ａ，３３Ａ，３４Ａが形成され、他方には積層方向に沿って側面導体（第４導体）３１Ｂ，３２Ｂ，３３Ｂ，３４Ｂが形成されている。側面導体３１Ａ，３２Ａ，３３Ａ，３４Ａおよび側面導体３１Ｂ，３２Ｂ，３３Ｂ，３４Ｂはそれぞれ積層体２の側面に露出している。また、側面導体３１Ａ，３２Ａ，３３Ａ，３４Ａおよび側面導体３１Ｂ，３２Ｂ，３３Ｂ，３４Ｂはそれぞれ、図３に示すように、積層体２の各層２１〜２９に形成された層間接続導体であるビア導体が接続されて形成されている。
【００３３】
各層２１〜２９のビア導体は、磁性体グリーンシートにレーザで貫通させた貫通孔に、導電性ペーストが充填されて形成される。そして、磁性体グリーンシートをワークサイズにカットする際に、形成されたビア導体部分でカットすることで、各層２１〜２９には露出されたビア導体が形成される。これら各層２１〜２９のビア導体が接続されて、側面導体３１Ａ，３２Ａ，３３Ａ，３４Ａおよび側面導体３１Ｂ，３２Ｂ，３３Ｂ，３４Ｂが形成されている。
【００３４】
積層体２の上面（第１の主面、第１層２１の表面）には導体パターン３１Ｃ、３２Ｃ、３３Ｃ、３４Ｃ（第１の導体）が形成されている。導体パターン３１Ｃ、３２Ｃ、３３Ｃ、３４Ｃは、第１層２１となるグリーンシート表面に導体パターンが印刷され、グリーンシートの焼成時に同時焼成されることで形成される。導体パターンは例えばＡｇなどからなる。導体パターン３１Ｃは側面導体３１Ａ，３１Ｂと接続されている。導体パターン３２Ｃは側面導体３２Ａ，３２Ｂと接続されている。導体パターン３３Ｃは側面導体３３Ａ，３３Ｂと接続されている。導体パターン３４Ｃは側面導体３４Ａ，３４Ｂと接続されている。
【００３５】
さらに、図３に示すように、積層体２の底面（第２の主面、第９層２９の表面）には、複数の導体パターン３１Ｄ，３２Ｄ，３３Ｄ（第２の導体）が形成されている。導体パターン３１Ｄは側面導体３２Ａ，３２Ｂと接続され、導体パターン３２Ｄは側面導体３３Ａ，３３Ｂと接続され、導体パターン３３Ｄは側面導体３４Ａ，３４Ｂと接続されている。これにより、積層方向に直交する一の方向を巻回軸方向とするコイル導体が積層体２に巻回された構成となる。
【００３６】
このように、コイル導体を積層体２の外面に露出するように形成することで、コイル径をより大きくすることができ、その結果、インダクタンス値が大きくなり、表面実装型アンテナ１のアンテナ特性を向上させることができる。また、磁性体の外周をコイル導体が巻回された構造となるので、磁性体による磁界の閉じ込めが少なくなり、放射効率が高まる。また、積層体２の表面に形成される側面導体３１Ａ，３２Ａ，３３Ａ，３４Ａおよび側面導体３１Ｂ，３２Ｂ，３３Ｂ，３４Ｂは、各層２１〜２９にビア導体を形成し、そのビア導体部分で切断して形成されているため、特別な製造工程を必要としない。
【００３７】
また、積層体２の上面、底面および二側面に隣接する面（以下、実装面という。）には、端子電極（端子導体）５１，５２が積層方向に沿って形成されている。この端子電極５１，５２は、側面導体３１Ａ，３２Ａ，３３Ａ，３４Ａおよび側面導体３１Ｂ，３２Ｂ，３３Ｂ，３４Ｂと同様に、各層２１〜２９に形成されたビア導体が接続されて形成されている。端子電極５１，５２は、表面実装型アンテナ１が実装されるプリント基板１００に設けられた電極１０１，１０２に接続される。従って、図２に示すように、表面実装型アンテナ１は、積層方向が実装面（プリント基板１００の平面）に対して平行な状態でプリント基板１００に実装されることとなる。
【００３８】
この端子電極５１，５２には、積層体２に巻回されたコイル導体の両端が接続されている。具体的には、第２層２２には、側面導体３４Ｂと端子電極５２とを接続する導体パターン３５が形成されている。また、第９層２９には、側面導体３１Ａと電極５１とを接続する導体パターン３６が形成されている。
【００３９】
図４は積層体２に形成されたコイル導体の模式図である。図４に示すように、表面実装型アンテナ１は、実装面に形成された端子電極５１，５２を入出力端子とし、実装面の法線方向を巻回軸方向とするコイル導体を有する構成となる。また、コイル導体の一端から端子電極５２に接続する信号ライン（導体パターン３５）は、コイル導体の内側（コイル開口）を通っている。このため、コイル導体の一端と端子電極とを接続する信号ライン（導体パターン３５）によってコイル径を大きくする障害とならない。また、信号ライン（導体パターン３５）の引き回しを短くでき、直流抵抗を抑制して、Ｑ値の低下を防止できる。
【００４０】
（実施形態２）
図５はプリント基板に実装する前の実施形態２に係る表面実装型アンテナの斜視図である。図６は実施形態２に係る表面実装型アンテナの分解斜視図である。本実施形態では、積層体２の外層となる第１層２１および第９層２９は、例えば誘電体材料からなる非磁性体層であって、第１層２１および第９層２９の間の層２２〜２８は磁性体層である。なお、第１層２１および第９層２９の間の層２２〜２８は一部が誘電体層であってもよい。
【００４１】
本実施形態に係る表面実装型アンテナ１が備える積層体２は、外層の第１層２１および第９層２９を非磁性体層とし、間の層２２〜２８を磁性体層とする構成である。そして、積層体２の各層２１〜２９は表面を同方向にして積層されている。従って、実施形態１とは異なり、積層体２の底面は第９層２９の裏面となる。
【００４２】
積層体２の対向する二側面には、実施形態１と同様に、側面導体３１Ａ，３２Ａ，３３Ａ，３４Ａおよび側面導体３１Ｂ，３２Ｂ，３３Ｂ，３４Ｂが積層体２の側面に露出して形成されている。また、外層（第１層２１）と接する第２層２２の表面には導体パターン３１Ｃ、３２Ｃ、３３Ｃ、３４Ｃが形成されている。これにより、非磁性体層である第１層２１と磁性体層である第２層２２との間に複数の導体パターン３１Ｃ，３２Ｃ，３３Ｃ，３４Ｃが形成されている。導体パターン３２Ｃは側面導体３２Ａ，３２Ｂを接続している。導体パターン３３Ｃは側面導体３３Ａ，３３Ｂを接続している。導体パターン３４Ｃは側面導体３４Ａ，３４Ｂを接続している。第９層２９の表面には複数の導体パターン３１Ｄ，３２Ｄ，３３Ｄが形成されている。これにより、磁性体層である第８層２８と非磁性体層である第９層２９との間に複数の導体パターン３１Ｄ，３２Ｄ，３３Ｄ，３４Ｄが形成されている。導体パターン３１Ｄは側面導体３２Ａ，３１Ｂを接続し、導体パターン３２Ｄは側面導体３３Ａ，３２Ｂを接続し、導体パターン３３Ｄは側面導体３４Ａ，３３Ｂを接続している。
【００４３】
さらに、第１層２１の表面には、側面導体３４Ｂおよび端子電極５２を接続する導体パターン３５が形成されている。第９層２９の表面には、側面導体３１Ａおよび端子電極５１を接続する導体パターン３６が形成されている。
【００４４】
この構成における表面実装型アンテナ１は、実施形態１と同様に、積層方向に直交する方向を巻回軸方向とするコイル導体が積層体２に巻回された構成となり、コイル径をより大きくすることができ、表面実装型アンテナ１のアンテナ特性を向上させることができる。また、コイル導体が形成される積層体２の各層２２〜２８を磁性体層とし、コイル導体の外側の第１層２１および第９層２９を非磁性体層としているため、コイル導体からの磁束が磁性体によって表面実装型アンテナ１のチップ内に閉じ込められることを抑制している。これにより、表面実装型アンテナ１のアンテナ特性（利得）が向上する。
【００４５】
（実施形態３）
図７は実施形態３に係る表面実装型アンテナの分解斜視図である。実施形態３に係る表面実装型アンテナ１は、誘電体セラミックスを使用したアンテナであり、積層体２の各層２１〜２９は全て誘電体層である。また、第２層２２には、実施形態１と異なり、導体３４Ｂおよび端子電極５２を接続する導体パターン３５が形成されていない。従って、表面実装型アンテナ１は、コイル導体の一端を端子電極５１に接続し、他端を開放端とする、所謂ヘリカルアンテナを構成している。本実施形態３の場合、端子電極５２はプリント基板１００（図１参照）に実装するためのダミー端子電極となる。
【００４６】
この構成により、実施形態１，２と同様に、コイル径をより大きくすることができ、アンテナ特性を向上させることができる。
【００４７】
さらに、本実施形態では、積層体２の各層を誘電体層としている。コイル導体は、この積層体２の表面に露出して形成されている。これにより、コイル導体の各巻線間に構成される浮遊容量は、コイル導体を積層体２の内部に形成した場合と比べて小さくなる。図８は、コイル導体の巻線間に構成される浮遊容量を模式的に示す図である。図９は、比較対照とするコイル導体の巻線間に構成される浮遊容量を模式的に示す図である。図８は、実施形態３に係る表面実装型アンテナ１であり、積層体２の表面に露出してコイル導体を形成した図である。図９は積層体２の内部にコイル導体を形成した場合の図である。
【００４８】
本実施形態の場合、コイル導体とプリント基板１００（グランド）との間に形成される浮遊容量Ｃ１、および、コイル導体の巻線間に形成される浮遊容量Ｃ２は、積層体２外部に形成される。これに対し、コイル導体を積層体２の内部に形成した場合、コイル導体とプリント基板１００との間に構成される浮遊容量Ｃ３、および、コイル導体の巻線間に形成される浮遊容量Ｃ４は積層体２内部に形成される。このため、浮遊容量Ｃ１は浮遊容量Ｃ３より小さくなり、浮遊容量Ｃ２は浮遊容量Ｃ４より小さくなる。このため、本実施形態では、グランドとの電界結合を小さくすることができ、電界が積層体２内部に閉じ込められにくくすることで、表面実装型アンテナ１の放射効率をより向上させることができる。
【００４９】
また、本実施形態では、積層体の各層を誘電体層とし、浮遊容量コイル導体の巻線間に構成される浮遊容量を小さくしているため、本実施形態に係る表面実装型アンテナ１をＵＨＦ帯用アンテナとして用いることも可能である。（積層体２の各層が磁性体であっても、その磁性体の比透磁率が１程度となる高周波数帯で使う場合には、前記磁性体は誘電体として作用する）。
【００５０】
なお、表面実装型アンテナ１の具体的構成などは、適宜設計変更可能であり、上述の実施形態に記載された作用および効果は、本発明から生じる最も好適な作用および効果を列挙したに過ぎず、本発明による作用および効果は、上述の実施形態に記載されたものに限定されるものではない。
【００５１】
例えば、各実施形態においては、側面導体を構成する層間接続導体はビア導体で形成されていたが、貫通孔の内壁面に導体が付与されたスルーホール導体や、メッキにより形成した導体であってもよい。また、実施形態２においては、複数の磁性体層が非磁性体層で挟まれる構成となっていたが、いずれか一方の面だけが非磁性体層で覆われる構成としても構わない。また、実施形態３においては、積層体２の各層を磁性体層とした構成でもよい。この場合、実施形態３に係る表面実装型アンテナ１は、コイル導体の一端が開放端となっているため、ヘリカルアンテナとしてＦＭ放送受信用アンテナに用いることができる。
【００５２】
また、上述の表面実装型アンテナ１を、表面実装型アンテナ１による電磁界を強める所謂ブースターアンテナと組み合わせて用いてもよい。以下、表面実装型アンテナ１とブースターアンテナとの組み合わせについて説明する。
【００５３】
図１０（Ａ）は、表面実装型アンテナ１を備えた通信端末装置の正面断面図、図１０（Ｂ）は通信端末装置の上面透視図である。図１０（Ｂ）では、表面実装型アンテナ１およびブースターアンテナ１１０のみを示し、他の素子は省略している。
【００５４】
表面実装型アンテナ１は通信端末装置６０の端末筐体６０Ａ内に設けられている。端末筐体６０Ａの内面にはブースターアンテナ１１０が両面テープなどで貼付されている。ブースターアンテナ１１０は、例えばポリイミドフィルムなどからなる絶縁体または誘電体の基材１１１、および基材１１１の表裏面に形成されたコイル導体１１２，１１３を含んで構成されている。また、基材１１１のコイル導体１１３側にはフェライト等からなる磁性体シートを配設してもよい。コイル導体１１２，１１３は、平面視で互いに逆方向に巻回（透視では同方向に巻回）されたループ状導体である。コイル導体１１２，１１３によるインダクタンス成分とコイル導体１１２，１１３との間に生じるキャパシタンス成分とでＬＣ共振回路が構成され、ＬＣ共振する。
【００５５】
また、端末筐体６０Ａ内には、グランドパターン４１を備えたプリント配線板４０およびバッテリーパック１２０等が収納されている。このプリント配線板４０に通信回路が構成され、プリント配線板４０の図における上面には、ＲＦＩＣ用ＩＣチップ（給電回路）５１および表面実装型アンテナ１が表面実装されている。表面実装型アンテナ１は、ＲＦＩＣ用ＩＣチップ４２と不図示の配線で接続されている。ＲＦＩＣ用ＩＣチップ４２は、メモリ回路やロジック回路、クロック回路等を有し、ＲＦ信号を処理する集積回路チップとして構成され、給電回路として機能し、高周波信号を表面実装型アンテナ１に供給する。また、表面実装型アンテナ１から電力の受電および信号の受信を行う。
【００５６】
図１０（Ｂ）に示すように、ブースターアンテナ１１０は、主として、通信相手側アンテナとの無線信号の送受を行う放射素子として機能する。通信相手側アンテナとの通信距離は、アンテナ外形寸法に大きく依存するので、ブースターアンテナ１１０の外形寸法は、平面視したとき、表面実装型アンテナ１より大きな外形寸法を有していることが好ましい。
【００５７】
表面実装型アンテナ１は、平面視でブースターアンテナ１１０のコイル導体１１２，１１３を跨ぐように配置されている。表面実装型アンテナ１は、コイル軸がブースターアンテナ１１０のコイル軸と同方向に配置され、電磁界を介してブースターアンテナ１１０のコイル導体１１２，１１３と結合する。
【００５８】
具体的に、表面実装型アンテナ１のコイル導体に電流が流れると、表面実装型アンテナ１と重なっているブースターアンテナ１１０のコイル導体１１２，１１３とは磁界結合する。その結果、表面実装型アンテナ１およびブースターアンテナ１１０からの大きく拡がる磁力線（磁界）が生じる。
【００５９】
また、プリント配線板４０が備えるグランドパターン４１をブースターアンテナとしてもよい。この場合、図１０に示すブースターアンテナ１１０は不要となる。
【００６０】
図１１は、グランドパターン４１をブースターアンテナとした場合を説明する図である。図１１（Ａ）は、表面実装型アンテナ１のコイル導体に流れる電流およびグランドパターン４１に流れる電流のそれぞれの向きを示す斜視図である。また、図１１（Ｂ）および図１１（Ｃ）は、表面実装型アンテナ１のコイル導体に流れる電流、グランドパターン４１に流れる電流、およびそれらにより発生する磁束の様子を概略的に示す図である。
【００６１】
表面実装型アンテナ１のコイル導体に電流ａの向きに電流が流れると、グランドパターン４１に電流ｂの方向に電流を誘起される。すなわち、コイル導体に流れる電流により平面導体の外周に誘導電流ｂが周回する。その結果、図１１（Ｂ）に示すように表面実装型アンテナ１に矢印Ａで示す磁束が生じ、グランドパターン４１に矢印Ｂで示す磁束が生じる。図１１（Ｂ）中に示す磁束Ａ′はグランドパターン４１を避ける位置を通る磁束を表している。
【００６２】
図１１（Ｃ）は図１１（Ｂ）の磁束をさらに等価的に表した図である。矢印Ｃで示す磁束はグランドパターン４１の周囲に生じる前記磁束Ｂと表面実装型アンテナ１に生じる前記磁束Ａ′との合成による磁束である。なお、表面実装型アンテナ１は、平面視でグランドパターン４１と重ならないほうが矢印Ａ’の磁束が形成されやすいが、設計に応じて一部又は全部が重なっていてもよい。
【００６３】
通信相手側のコイルアンテナから磁束が入る場合は、上述とは逆の現象が生じる。すなわち、通信相手側のコイルアンテナの磁束がグランドパターン４１の周囲を通るとともに表面実装型アンテナ１と鎖交すると、グランドパターン４１に電流ｂが流れ、表面実装型アンテナ１のコイル導体に電流ａが流れる。
【００６４】
上述のように、表面実装型アンテナ１とブースターアンテナとを組み合わせた場合であって、例えば１３．５６ＭＨｚ帯を通信周波数として利用したＨＦ帯ＲＦＩＤシステムであれば、ＲＦＩＤタグを備えた電子機器（携帯電話端末）とリーダライタのアンテナ装置との間で、主に誘導磁界を介して結合し、所定の情報を送受することができる。
【符号の説明】
【００６５】
１−表面実装型アンテナ
２−積層体
２１−第１層（基材層、第１の外層）
２２−第２層（基材層）
２３−第３層（基材層）
２４−第４層（基材層）
２５−第５層（基材層）
２６−第６層（基材層）
２７−第７層（基材層）
２８−第８層（基材層）
２９−第９層（基材層、第２の外層）
３１Ａ，３２Ａ，３３Ａ，３４Ａ−側面導体（第３導体）
３１Ｂ，３２Ｂ，３３Ｂ，３４Ｂ−側面導体（第４導体）
３１Ｃ，３２Ｃ，３３Ｃ，３４Ｃ−導体パターン（第１導体）
３１Ｄ，３２Ｄ，３３Ｄ−導体パターン（第２導体）
３５−導体パターン
３６−導体パターン
５１，５２−端子電極（端子導体）
１００−プリント基板
１０１，１０２−電極
Ｃ１，Ｃ２，Ｃ３，Ｃ４−浮遊容量
【図１】
0005884538.tif 000002
【図２】
0005884538.tif 000003
【図３】
0005884538.tif 000004
【図４】
0005884538.tif 000005
【図５】
0005884538.tif 000006
【図６】
0005884538.tif 000007
【図７】
0005884538.tif 000008
【図８】
0005884538.tif 000009
【図９】
0005884538.tif 000010
【図１０】
0005884538.tif 000011
【図１１】
0005884538.tif 000012